(57)【要約】【課題】  無線制御装置ＲＮＣが、配下のセルに在圏する移動局ＵＥに係る情報を高精度に管理することを可能とする移動通信方法等を提供する。【解決手段】  本発明は、配下のセルに在圏する移動局ＵＥとの間でコネクションを設定可能な無線制御装置に関する。本発明に係る無線制御装置ＲＮＣは、配下のセルに係る情報を管理するセル管理部１１と、当該無線制御装置の配下の特定セル＃１に在圏する移動局ＵＥ＃１に対してコネクションを設定するように要求するコネクション設定要求を送信するコネクション設定要求送信部１３とを具備する。【選択図】  図１
2005065260.tif 000002
【特許請求の範囲】
【請求項１】
配下のセルに在圏する移動局との間でコネクションを設定可能な無線制御装置であって、
該無線制御装置の配下の特定セルに在圏する移動局に対して、前記コネクションを設定するように要求するコネクション設定要求を送信するコネクション設定要求送信部と、
前記特定セルに在圏する移動局に係る情報を取得する必要があるか否かについて判断する判断部とを具備し、
前記コネクション設定要求送信部は、前記判断結果が肯定的である場合、前記特定セルに在圏する移動局に対して、前記コネクション設定要求を送信することを特徴とする無線制御装置。
【請求項２】
前記コネクション設定要求送信部は、該無線制御装置の配下のセルによって構成される特定エリアに在圏する移動局に対して、前記コネクション設定要求を送信することを特徴とする請求項１に記載の無線制御装置。
【請求項３】
無線制御装置と該無線制御装置の配下のセルに在圏する移動局との間でコネクションを設定する移動通信方法であって、
前記無線制御装置が、配下の特定セルに在圏する移動局に対して、前記コネクションを設定するように要求するコネクション設定要求を送信する工程と、
前記移動局が、受信した前記コネクション設定要求に応じて、前記無線制御装置との間で前記コネクションを設定する工程とを有することを特徴とする移動通信方法。
【発明の詳細な説明】
【技術分野】
【０００１】
本発明は、無線制御装置と当該無線制御装置の配下のセルに在圏する移動局との間でコネクションを設定する移動通信方法、及び、当該移動通信方法に用いられる無線制御装置に関する。
【背景技術】
【０００２】
従来から、Ｗ-ＣＤＭＡ方式の移動通信システム、すなわち、無線制御装置と当該無線制御装置の配下のセルに在圏する移動局との間でコネクションを設定する移動通信システムが知られている（例えば、非特許文献１参照）。
【０００３】
図４に示すように、Ｗ-ＣＤＭＡ方式の移動通信システムは、コアネットワークＣＮと、無線制御装置ＲＮＣと、ノードＢと、移動局ＵＥ（Ｕｓｅｒ  Ｅｑｕｉｐｍｅｎｔ）とによって構成されている。
【０００４】
実際には、Ｗ-ＣＤＭＡ方式の移動通信システムに、複数の無線制御装置ＲＮＣとノードＢと移動局ＵＥとが存在しているが、簡単のため、図４には、１つの無線制御装置ＲＮＣと、２つのノードＢ＃１及び＃２と、２つの移動局ＵＥ＃１及び＃２とを示している。
【０００５】
なお、Ｗ-ＣＤＭＡ方式の移動通信システムでは、無線制御装置ＲＮＣ及びノードＢによって、無線アクセスネットワークＲＡＮ（ＵＴＲＡＮ）が構成される。
【０００６】
無線制御装置ＲＮＣは、Ｉｕインタフェースを介してコアネットワークＣＮに接続されており、無線リソースの管理や、ノードＢの制御等を行うものであり、例えば、ハンドオーバの制御を行うものである。
【０００７】
ノードＢは、Ｉｕｂインタフェースを介して無線制御装置ＲＮＣに接続されており、具体的には、１つあるいは複数のセルをカバーする無線基地局装置によって構成されている。ここで、ノードＢが、複数の指向性アンテナを用いてセクタ化されている場合は、個々のセクタのことを「セル」というものとする。図４では、ノードＢ＃１が、セル#１をカバーしており、ノードＢ＃２が、セル#２をカバーしている。
【０００８】
移動局ＵＥは、無線インタフェースを介して、ノードＢ及び無線制御装置ＲＮＣに接続されるように構成されている。
【０００９】
ここで、Ｗ-ＣＤＭＡ方式の移動通信システムにおける無線インタフェースのプロトコルアーキテクチャは、物理レイヤ（レイヤ１）、データリンクレイヤ（レイヤ２）及びネットワークレイヤ（レイヤ３）のプロトコルレイヤによって構成されている。なお、レイヤ２は、ＭＡＣ（Ｍｅｄｉａ  Ａｃｃｅｓｓ  Ｃｏｎｔｒｏｌ）サブレイヤとＲＬＣ（Ｒａｄｉｏ  Ｌｉｎｋ  Ｃｏｎｔｒｏｌ）サブレイヤとに分けられている。
【００１０】
レイヤ３プロトコルであるＲＲＣ（Ｒａｄｉｏ  Ｒｅｓｏｕｒｃｅ  Ｃｏｎｔｒｏｌ）は、上位レイヤに対して、無線制御装置ＲＮＣの配下のセルに在圏する全ての移動局ＵＥに対する報知情報の通知や、無線制御装置ＲＮＣによる特定の移動局ＵＥの呼び出し（ページングの送信）や、無線制御装置ＲＮＣと移動局ＵＥとの間のＲＲＣコネクションの設定/変更/開放等のサービスを提供するものである。
【００１１】
また、図５に示すように、移動局ＵＥの状態は、無線制御装置ＲＮＣとの間でＲＲＣコネクションが確立されると、ＩｄｌｅモードからＣｏｎｎｅｃｔｅｄモード（ＲＲＣ  ｃｏｎｎｅｃｔｅｄ  ｓｔａｔｅ）に遷移する。一方、移動局ＵＥの状態は、無線制御装置ＲＮＣとの間でＲＲＣコネクションが開放されると、ＣｏｎｎｅｃｔｅｄモードからＩｄｌｅモードに遷移する。
【００１２】
図６に、従来のＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を提供する移動通信システムにおいて、移動局ＵＥ＃１の状態が、ＩｄｌｅモードからＣｏｎｎｅｃｔｅｄモードに遷移する場合のシーケンスを示す。
【００１３】
図６に示すように、ステップ１０１において、移動局ＵＥ＃１の状態は、Ｉｄｌｅモードである、すなわち、無線制御装置ＲＮＣとの間でＲＲＣコネクションが設定されていない状態であるものとする。
【００１４】
ステップ１０２において、コアネットワークＣＮが、移動局ＵＥ＃１を呼び出すためのページングを無線制御装置ＲＮＣに対して送信し、ステップ１０３において、無線制御装置ＲＮＣが、受信したページングをノードＢ＃１を介して移動局ＵＥ＃１に対して転送する。
【００１５】
ステップ１０４において、移動局ＵＥ＃１は、受信したページングが自局宛てである場合、無線制御装置ＲＮＣに対して「ＲＲＣコネクション要求（ＲＲＣ  Ｃｏｎｎｅｃｔｉｏｎ  Ｒｅｑｕｅｓｔ）」を送信することによって、当該無線制御装置ＲＮＣとの間のＲＲＣコネクションを設定するための「ＲＲＣコネクション設定手順（ＲＲＣ  Ｃｏｎｎｅｃｔｉｏｎ  Ｓｅｔｕｐ手順）」を実施する。
【００１６】
ステップ１０５において、移動局ＵＥ＃１の状態は、ＩｄｌｅモードからＣｏｎｅｃｔｅｄモードに遷移する。
【非特許文献１】３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ著、２５.３３１  ｖ５.４.０  Ｒａｄｉｏ  Ｒｅｓｏｕｒｃｅ  Ｃｏｎｔｒｏｌ（ＲＲＣ）  ｐｒｏｔｏｃｏｌ  ｓｐｅｃｉｆｉｃａｔｉｏｎ（Ｒｅｌｅａｓｅ  ５）、２００３年３月
【発明の開示】
【発明が解決しようとする課題】
【００１７】
しかしながら、従来のＷ-ＣＤＭＡ方式の移動通信システムでは、無線制御装置ＲＮＣが、配下のセルに在圏するＣｏｎｎｅｃｔｅｄモードの移動局ＵＥに係る情報（移動局数や受信能力等）を管理しており、コアネットワークＣＮが、当該セルに在圏するＩｄｌｅモードの移動局ＵＥに係る情報を管理しているため、無線制御装置ＲＮＣは、配下のセルに在圏するＩｄｌｅモードの移動局ＵＥの移動を把握することができず、当該セルに在圏する移動局ＵＥに係る情報を正確に管理することができないという問題点があった。
【００１８】
そこで、本発明は、以上の点に鑑みてなされたもので、無線制御装置が、配下のセルに在圏する移動局に係る情報を高精度に管理することを可能とする移動通信方法、及び、当該移動通信方法に用いられる無線制御装置を提供することを目的とする。
【課題を解決するための手段】
【００１９】
本発明の第１の特徴は、配下のセルに在圏する移動局との間でコネクションを設定可能な無線制御装置であって、該無線制御装置の配下の特定セルに在圏する移動局に対して、前記コネクションを設定するように要求するコネクション設定要求を送信するコネクション設定要求送信部と、前記特定セルに在圏する移動局に係る情報を取得する必要があるか否かについて判断する判断部とを具備し、前記コネクション設定要求送信部が、前記判断結果が肯定的である場合、前記特定セルに在圏する移動局に対して、前記コネクション設定要求を送信することを特徴とすることを要旨とする。
【００２０】
かかる発明によれば、無線制御装置が、配下の特定セルに在圏するＩｄｌｅモードの移動局に対してコネクション設定要求を送信して、当該移動局との間でＲＲＣコネクションを接続することによって、当該特定セルに在圏する全ての移動局の状態をＣｏｎｎｅｃｔｅｄモードに遷移させることができ、当該特定セルに在圏する移動局に係る情報を正確に把握することができる。
【００２１】
かかる発明によれば、無線制御装置は、コアネットワークからの指示や無線制御装置自身の判断等によって、配下の特定セルに在圏する移動局に係る情報を取得する必要があると判断した場合に、当該特定セルに在圏する全ての移動局の状態をＣｏｎｎｅｃｔｅｄモードに遷移させることができ、当該特定セルに在圏する移動局に係る情報を正確に把握することができる。
【００２２】
本発明の第１の特徴において、前記コネクション設定要求送信部が、該無線制御装置の配下のセルによって構成される特定エリアに在圏する移動局に対して、前記コネクション設定要求を送信するように構成されていてもよい。
【００２３】
かかる発明によれば、無線制御装置は、セル間の境界等の特定エリアに在圏する移動局との間でＲＲＣコネクションを設定することによって、Ｉｄｌｅモードの移動局がセルを跨って移動している可能性が高いと思われる特定エリア内の移動局の状態をＣｏｎｎｅｃｔｅｄモードに遷移させることができるため、配下のセルに在圏する移動局に係る情報を、効率よく高精度に把握することができる。
【００２４】
本発明の第２の特徴は、無線制御装置と該無線制御装置の配下のセルに在圏する移動局との間でコネクションを設定する移動通信方法であって、前記無線制御装置が、配下の特定セルに在圏する移動局に対して、前記コネクションを設定するように要求するコネクション設定要求を送信する工程と、前記移動局が、受信した前記コネクション設定要求に応じて、前記無線制御装置との間で前記コネクションを設定する工程とを有することを要旨とする。
【発明の効果】
【００２５】
以上説明したように、本発明によれば、無線制御装置が、配下のセルに在圏する移動局に係る情報を高精度に管理することを可能とする移動通信方法、及び、当該移動通信方法に用いられる無線制御装置を提供することができる。
【発明を実施するための最良の形態】
【００２６】
（本発明の第１の実施形態に係る移動通信システムの構成）
図を参照して、本発明の第１の実施形態における移動通信システムの構成について説明する。本実施形態に係る移動通信システムの全体構成は、図１に示す従来のＷ-ＣＤＭＡ方式の移動通信システムの全体構成と同一である。
【００２７】
なお、本実施形態に係る移動通信システムは、無線制御装置ＲＮＣが報知チャネルを用いて所定グループに属する移動局ＵＥに対してブロードキャストデータ及びマルチキャストデータを送信するＭＢＭＳを提供するように構成されている。かかる場合、移動局ＵＥは、Ｉｄｌｅモードで動作している場合であっても、Ｃｏｎｎｅｃｔｅｄモードで動作している場合であっても、上述のブロードキャストデータ及びマルチキャストデータを受信することができる。
【００２８】
図１に、本実施形態に係る移動通信システムを構成する無線制御装置ＲＮＣの機能ブロックを示す。当該無線制御装置ＲＮＣは、従来のＷ-ＣＤＭＡ方式の移動通信システムを構成する無線制御装置ＲＮＣと同じ役割を果たすものであって、配下のセルに在圏する移動局との間でＲＲＣコネクションを設定可能に構成されている。ここで、無線制御装置ＲＮＣは、配下に複数のセルを管理するものとする。
【００２９】
図１に示すように、無線制御装置ＲＮＣは、セル管理部１１と、ＲＲＣコネクション設定要求生成部１２と、ＲＲＣコネクション設定要求送信部１３と、ＲＲＣコネクション設定部１４と、セル情報取得部１５とを具備している。
【００３０】
セル管理部１１は、無線制御装置ＲＮＣの配下のセルの地理的属性を管理するものである。具体的には、セル管理部１１は、特定エリア（例えば、渋谷駅周辺や、当該無線制御装置に隣接する無線制御装置ＲＮＣの配下のセルとの境界等）を構成するセルに係る情報を管理している。
【００３１】
また、セル管理部１１は、配下のセルごとに、在圏している移動局ＵＥに係る情報（移動局数や受信能力等）を管理している。
【００３２】
ＲＲＣコネクション設定要求生成部１２は、所定のタイミングで、例えば、所定の周期で、移動局ＵＥに対して、無線制御装置ＲＮＣとの間でＲＲＣコネクションを設定するように要求するためのＲＲＣコネクション設定要求を生成するものである。
【００３３】
ここで、ＲＲＣコネクション設定要求は、無線制御装置ＲＮＣの配下の特定セルに在圏する移動局が、受信又は識別可能に構成されているものとする。
【００３４】
また、ＲＲＣコネクション設定要求は、移動局ＵＥが、ＲＲＣコネクション設定要求に応じて「ＲＲＣコネクション要求（ＲＲＣ  Ｃｏｎｎｅｃｔｉｏｎ  Ｒｅｑｕｅｓｔ）」を送信するタイミングを示す情報を含んでいてもよい。
【００３５】
ＲＲＣコネクション設定要求送信部１３は、無線制御装置ＲＮＣの配下の特定セルに在圏する移動局ＵＥに到達可能な手段（送信電力や送信方向等）で、上述のＲＲＣコネクション設定要求を送信するものである。
【００３６】
また、ＲＲＣコネクション設定要求送信部１３は、無線制御装置ＲＮＣの配下の複数のセルによって構成されている特定エリアに在圏する移動局ＵＥに到達可能な手段で、上述のＲＲＣコネクション設定要求を送信するように構成されていてもよい。
【００３７】
また、ＲＲＣコネクション設定要求送信部１３は、無線制御装置ＲＮＣの配下のセルの一部によって構成されている特定エリア（例えば、セル間の境界付近）に在圏する移動局ＵＥに到達可能な手段で、上述のＲＲＣコネクション設定要求を送信するように構成されていてもよい。
【００３８】
ＲＲＣコネクション設定部１４は、移動局ＵＥからの「ＲＲＣコネクション要求（ＲＲＣ  Ｃｏｎｎｅｃｔｉｏｎ  Ｒｅｑｕｅｓｔ）」に応じて、当該移動局ＵＥとの間で、ＲＲＣコネクションを設定するものである。
【００３９】
また、ＲＲＣコネクション設定部１４は、セル情報取得部１５によって、無線制御装置ＲＮＣの配下の特定セルに在圏する移動局ＵＥに係る情報が取得された後に、当該特定セルに在圏する移動局ＵＥとの間で設定したＲＲＣコネクションを開放するように構成されていてもよい。
【００４０】
セル情報取得部１５は、無線制御装置ＲＮＣの配下の特定セルに在圏するＣｏｎｎｅｃｔｅｄモードの移動局ＵＥに係る情報を取得するものである。ここで、移動局ＵＥに係る情報には、当該特定セルに在圏する移動局数や、当該特定セルに在圏する移動局ＵＥの受信能力や、ＭＢＭＳの視聴率や、ＭＢＭＳに参加してる移動局ＵＥの数等が含まれている。
【００４１】
なお、セル情報取得部１５は、Ｃｏｎｎｅｃｔｅｄモードの移動局ＵＥからのみ、上述の移動局ＵＥに係る情報を取得することができ、Ｉｄｌｅモードの移動局ＵＥからは、上述の移動局ＵＥに係る情報を取得することはできない。
【００４２】
（本発明の第１の実施形態に係る移動通信システムの動作）
図２を参照して、本発明の第１の実施形態に係る移動通信システムの動作について説明する。図２に、移動局ＵＥ＃１の状態が、ＩｄｌｅモードからＣｏｎｎｅｃｔｅｄモードに遷移する場合のシーケンスを示す。
【００４３】
図２に示すように、ステップ２０１において、移動局ＵＥ＃１の状態は、Ｉｄｌｅモードである、すなわち、無線制御装置ＲＮＣとの間でＲＲＣコネクションが設定されていない状態であるものとする。
【００４４】
ステップ２０２において、無線制御装置ＲＮＣが、所定のタイミングで、無線制御装置ＲＮＣの配下のセル＃１に在圏する移動局ＵＥに到達する手段で、上述のＲＲＣコネクション設定要求を送信する。
【００４５】
セル＃１に在圏する移動局ＵＥ＃１は、ステップ２０３において、無線制御装置ＲＮＣから送信されたＲＲＣコネクション設定要求を受信し、ステップ２０４において、無線制御装置ＲＮＣとの間でＲＲＣコネクションを設定するためのＲＲＣコネクション設定手順を実施する。
【００４６】
ステップ２０５において、移動局ＵＥ＃１の状態は、ＩｄｌｅモードからＣｏｎｅｃｔｅｄモードに遷移する。
【００４７】
（本発明の第１の実施形態に係る移動通信システムの作用・効果）
本実施形態に係る移動通信システムによれば、無線制御装置ＲＮＣが、配下の特定セル＃１に在圏するＩｄｌｅモードの移動局ＵＥ＃１に対してＲＲＣコネクション設定要求を送信して、当該移動局ＵＥ＃１との間でＲＲＣコネクションを接続することによって、当該特定セル＃１に在圏する全ての移動局ＵＥの状態をＣｏｎｎｅｃｔｅｄモードに遷移させることができ、当該特定セル＃１に在圏する移動局ＵＥに係る情報を正確に把握することができる。
【００４８】
また、本実施形態に係る移動通信システムによれば、無線制御装置ＲＮＣは、セル間の境界等の特定エリアに在圏する移動局ＵＥとの間でＲＲＣコネクションを設定することによって、Ｉｄｌｅモードの移動局ＵＥがセルを跨って移動している可能性が高いと思われる特定エリア内の移動局ＵＥの状態をＣｏｎｎｅｃｔｅｄモードに遷移させることができるため、配下のセルに在圏する移動局ＵＥに係る情報を、効率よく高精度に把握することができる。
【００４９】
（変更例１）
図３を参照して、本発明の変更例１に係る移動通信システムについて説明する。以下、本変更例に係る移動通信システムについて、上述の第１の実施形態に係る移動通信システムとの相違点を主として説明する。
【００５０】
本変更例に係る移動通信システムを構成する無線制御装置ＲＮＣは、図３に示すように、上述の第１の実施形態に係る無線制御装置ＲＮＣの構成（図１参照）に加えて、判断部１６を具備している。
【００５１】
判断部１６は、無線制御装置ＲＮＣの配下の特定セルに在圏する移動局ＵＥに係る情報を取得する必要があるか否かについて判断するものである。
【００５２】
具体的には、判断部１６は、コアネットワークＣＮからの指示（例えば、ＭＢＭＳの視聴率の調査要求）に応じて、無線制御装置ＲＮＣの配下の特定セルに在圏する移動局ＵＥに係る情報を取得する必要があると判断するように構成されていてもよい。
【００５３】
また、判断部１６は、無線制御装置ＲＮＣの配下の特定セルに在圏する移動局ＵＥに係る情報を取得する必要があると自ら判断するように構成されていてもよい。例えば、判断部１６は、無線制御装置ＲＮＣの配下のセルに在圏するＣｏｎｎｅｃｔｅｄモードの移動局ＵＥの数が所定数を下回った場合、無線制御装置ＲＮＣの配下の特定セルに在圏する移動局ＵＥに係る情報を取得する必要があると判断するように構成されていてもよい。
【００５４】
ＲＲＣコネクション設定要求生成部１２は、判断部１６によって、無線制御装置ＲＮＣの配下の特定セルに在圏する移動局ＵＥに係る情報を取得する必要があると判断された場合に、当該特定セルに在圏する移動局ＵＥ宛てのＲＲＣコネクション設定要求を生成するように構成されている。
【００５５】
本変更例に係る移動通信システムによれば、無線制御装置ＲＮＣは、コアネットワークＣＮからの指示や無線制御装置ＲＮＣ自身の判断等によって、配下の特定セル＃１に在圏する移動局ＵＥに係る情報を取得する必要があると判断した場合に、当該特定セル＃１に在圏する全ての移動局ＵＥの状態をＣｏｎｎｅｃｔｅｄモードに遷移させることができ、当該特定セル＃１に在圏する移動局ＵＥに係る情報を正確に把握することができる。
【図面の簡単な説明】
【００５６】
【図１】本発明の第１の実施形態に係る無線制御装置の機能ブロック図である
【図２】本発明の第１の実施形態に係る移動通信システムの動作を示すシーケンス図である。
【図３】本発明の変更例１に係る無線制御装置の機能ブロック図である
【図４】Ｗ-ＣＤＭＡ方式の移動通信システムの全体構成図である。
【図５】Ｗ-ＣＤＭＡ方式の移動通信システムにおける移動局の状態遷移図である。
【図６】従来のＷ-ＣＤＭＡ方式の移動通信システムの動作を示すシーケンス図である。
【符号の説明】
【００５７】
ＣＮ…コアネットワーク
ＲＮＣ…無線制御装置
ＵＥ…移動局
１１…セル管理部
１２…ＲＲＣコネクション設定要求生成部
１３…ＲＲＣコネクション設定要求送信部
１４…ＲＲＣコネクション設定部
１５…エリア情報取得部
１６…判断部
【図１】
2005065260.tif 000003
【図２】
2005065260.tif 000004
【図３】
2005065260.tif 000005
【図４】
2005065260.tif 000006
【図５】
2005065260.tif 000007
【図６】
2005065260.tif 000008